(57)【特許請求の範囲】
【請求項１】
発光ダイオード回路をドライブするためのドライバであって、
電源から電圧信号を受信するための第１及び第２の端子と、
第２の端子及び第３の端子に結合された第１のスイッチング回路とを備え、第１及び第３の端子が、第１の発光ダイオード回路の電極に結合され、第１のスイッチング回路が、第１のスイッチと、前記電圧信号に追加された第１のパルス信号に応答して第１のスイッチを活性化するための第１のタイミング回路とを備え、前記第１のスイッチが、活性化されると導通モードになり、前記第１のパルス信号に関係なく導通モードのままである、ドライバ。
【請求項２】
第１のスイッチが、サイリスタ、トライアック、又はサイリスタ若しくはトライアックの代わりとなるトランジスタ回路を備える、請求項１に記載のドライバ。
【請求項３】
第１のスイッチが、第２及び第３の端子に結合された主電極を有し、第１のタイミング回路がコンデンサを備え、前記コンデンサの一方の側が第２の端子に結合され、前記コンデンサの他方の側が第１のスイッチの制御電極に結合される、請求項１に記載のドライバ。
【請求項４】
前記コンデンサの前記他方の側が、第１のしきい値回路を介して第１の端子に結合される、請求項３に記載のドライバ。
【請求項５】
前記コンデンサの前記他方の側が、抵抗を介して第３の端子に結合される、請求項３に記載のドライバ。
【請求項６】
第１のタイミング回路が、更に、前記コンデンサに並列に結合された第２のしきい値回路を備える、請求項３に記載のドライバ。
【請求項７】
第１のスイッチング回路が、更に、活性化されるときに第１のスイッチの両端間の電圧を減少させるためのトランジスタを備える、請求項１に記載のドライバ。
【請求項８】
第１のスイッチの主電極が、前記トランジスタの主電極に結合され、前記トランジスタの制御電極が、第１のスイッチング回路を通って流れる電流を検出するための検出回路に結合される、請求項７に記載のドライバ。
【請求項９】
第１のパルス信号が、第１のパルス信号の所与の振幅に関する規定の持続時間範囲内の持続時間を有し、第１のパルス信号が、第１のパルス信号の所与の持続時間に関する規定の振幅範囲内の振幅を有し、及び／又は第１のパルス信号が、規定の持続時間範囲内の持続時間と、規定の振幅範囲内の振幅とを有する、請求項１に記載のドライバ。
【請求項１０】
第３の端子及び第４の端子に結合された第２のスイッチング回路を更に備え、第１及び第４の端子が、第２の発光ダイオード回路の電極に結合され、第２のスイッチング回路が、第２のスイッチと、活性化された第１のスイッチに関して、前記電圧信号に追加された第２のパルス信号に応答して第２のスイッチを活性化するための第２のタイミング回路とを備える、請求項１に記載のドライバ。
【請求項１１】
第１のパルス信号及び第２のパルス信号が、第１のスイッチ及び第２のスイッチを順次に活性化するための個別の順次パルス信号であるか、又は、第１のスイッチ及び第２のスイッチを順次に活性化するのに十分に長い持続時間を有する複合パルス信号である、請求項１０に記載のドライバ。
【請求項１２】
第１及び第２の端子が、第３の発光ダイオード回路の電極に結合され、第３の発光ダイオード回路が前記電圧信号によってオンに切り替えられ、第１の発光ダイオード回路が第１のパルス信号によってオンに切り替えられ、各発光ダイオード回路が前記電圧信号によってオフに切り替えられる、請求項１に記載のドライバ。
【請求項１３】
前記ドライバが、クロック信号を不要にし、給電及び制御のための個別の配線を不要にし、及び／又は発光ダイオード回路各々が２つの電極だけを有し、第３の制御電極を有さない当該発光ダイオード回路をドライブし、各発光ダイオード回路が、任意の種類及び任意の接続の１つ又は複数の発光ダイオードを備え、各発光ダイオードが、２つの電極だけを有し、第３の制御電極を有さない、請求項１に記載のドライバ。
【請求項１４】
請求項１に記載のドライバを備え、更に、第１の発光ダイオード回路、前記電源、及び／又は前記パルス信号を前記電圧信号に追加するためのパルス発生器を備える、デバイス。
【発明の詳細な説明】
【技術分野】
【０００１】
本発明は、発光ダイオード回路をドライブするためのドライバに関する。本発明は、更に、デバイスに関する。
【０００２】
そのようなデバイスの例は、ランプ及びランプの一部、並びに電源及び電源の一部である。
【背景技術】
【０００３】
国際公開第２００８／００７２９８号は、複数の負荷の中から選択される１つの負荷に向けて電力を送るためのデバイスを開示する。このデバイスは、給電及び制御のための個別の配線を使用する。
【０００４】
米国特許第６，４５２，３４２号は、セルフスキャン発光デバイスを開示する。このデバイスは、それぞれ３つの電極を有する発光ダイオードを使用し、更にクロック信号も使用する。
【発明の概要】
【発明が解決しようとする課題】
【０００５】
本発明の目的は、改良されたドライバを提供することである。本発明の更なる目的は、改良されたデバイスを提供することである。
【課題を解決するための手段】
【０００６】
第１の態様によれば、発光ダイオード回路をドライブするためのドライバであって、
−電源から電圧信号を受信するための第１及び第２の端子と、
−第２の端子及び第３の端子に結合された第１のスイッチング回路とを備え、第１及び第３の端子が、第１の発光ダイオード回路の電極に結合されるように配置され、第１のスイッチング回路が、第１のスイッチと、電圧信号に追加された第１のパルス信号に応答して第１のスイッチを活性化するための第１のタイミング回路とを備える
ドライバが提供される。
【０００７】
第１及び第２の端子は、電源から電圧信号を受信するために、電源に結合される。第１のスイッチング回路は、第２及び第３の端子に結合され、ここで、第１の発光ダイオード回路の電極は、第２及び第３の端子に結合される。この結果、第１のスイッチング回路が活性化されるとき、第１の発光ダイオード回路がオンに切り替えられる。
【０００８】
第１のスイッチング回路は、第１のスイッチと、第１のタイミング回路とを備え、第１のタイミング回路は、電圧信号に追加された第１のパルス信号に応答して第１のスイッチを活性化する。その結果、ドライバ内部で、個別の電力配線と制御配線とが必要とされない。第１及び第２の端子を介して給電及び制御が提供される。ドライバ内部で、クロック信号は必要とされない。これらは大きな利点であり、従って、改良されたドライバが形成されている。
【０００９】
発光ダイオード回路は、任意の種類及び任意の組合せの１つ又は複数の発光ダイオードを備える。各発光ダイオード回路は、２つの電極だけを有していればよい。第３の制御電極は必要とされない。各発光ダイオードは、２つの電極だけを有していればよい。第３の制御電極は必要とされない。従って、比較的単純であり、低コストであり、頑強な発光ダイオードが使用され得る。
【００１０】
ドライバの一実施形態は、第１のスイッチが、活性化されると導通モードになり、第１のパルス信号に関係なく導通モードのままであることによって規定される。即ち、電圧信号に追加された第１のパルス信号に応答して第１のスイッチが活性化され、活性化された後、第１のスイッチは、第１のパルス信号に関係なく活性化されたままである。その結果、第１のパルス信号は、第１のスイッチを活性化するためにのみ使用され、第１のスイッチを活性化されたままにするためには使用されない。
【００１１】
ドライバの一実施形態は、第１のスイッチが、サイリスタ、トライアック、又はサイリスタ若しくはトライアックの代わりとなるトランジスタ回路を備えることによって規定される。これらの種類の第１のスイッチは、比較的単純であり、低コストであり、頑強である。
【００１２】
ドライバの一実施形態は、第１のスイッチが、第２及び第３の端子に結合された主電極を有し、第１のタイミング回路がコンデンサを備え、コンデンサの一方の側が第２の端子に結合され、コンデンサの他方の側が第１のスイッチの制御電極に結合されることによって規定される。この種の第１のタイミング回路は、比較的単純であり、低コストであり、頑強である。
【００１３】
ドライバの一実施形態は、コンデンサの上記他方の側が、第１のしきい値回路を介して第１の端子に結合されることによって規定される。第１のしきい値回路は、例えば、第１のツェナーダイオードを備えるか、又は第１のツェナーダイオードと抵抗との直列接続を備える。この場合、第１のしきい値回路は、電圧信号によってコンデンサが充電されないようにする。第１のツェナーダイオードのしきい値電圧は、電圧信号の振幅に比較的等しくなるように選択されることがある。
【００１４】
ドライバの一実施形態は、コンデンサの上記他方の側が抵抗を介して第３の端子に結合されることによって規定される。この場合、第１の発光ダイオード回路は、電圧信号によってコンデンサが充電されないようにする。第１の発光ダイオード回路の動作電圧は、電圧信号の振幅に実質的に等しくなるように選択されることがある。
【００１５】
ドライバの一実施形態は、第１のタイミング回路が、更に、コンデンサに並列に結合された第２のしきい値回路を備えることによって規定される。第２のしきい値回路は、第１のスイッチをピーク電圧から保護し、例えば、第２のツェナーダイオードを備えるか、又は第２のツェナーダイオードと抵抗との並列接続を備えることがあり、抵抗は、必要なときに時定数を（より良く）規定するため及び／又はコンデンサを（より良く）放電するために、コンデンサと組み合わせて使用される。
【００１６】
ドライバの一実施形態は、第１のスイッチング回路が、更に、活性化されるときに第１のスイッチの両端間の電圧を減少させるためのトランジスタを備えることによって規定される。導通モードでは、特に、サイリスタ及びトライアックは、主電極にわたる比較的大きな電圧降下を示すことがある。そのような比較的大きな電圧降下は、導通トランジスタを追加することによって減少されることがある。
【００１７】
ドライバの一実施形態は、第１のスイッチの主電極が、トランジスタの主電極に結合され、トランジスタの制御電極が、第１のスイッチング回路を通って流れる電流を検出するための検出回路に結合されることによって規定される。第１のスイッチング回路を通って流れる電流を検出することによって、第１のスイッチに並列に結合されたトランジスタは、第１のスイッチング回路を通って流れる十分な量の電流がある限り導通モードであり、第１のスイッチング回路を通って流れる電流の量がゼロに減少する、又は特定のしきい値未満に降下するとすぐに、非導通モードになる。
【００１８】
ドライバの一実施形態は、第１のパルス信号が、第１のパルス信号の所与の振幅に関する規定の持続時間範囲内の持続時間を有し、及び／又は第１のパルス信号が、第１のパルス信号の所与の持続時間に関する規定の振幅範囲内の振幅を有し、及び／又は第１のパルス信号が、規定の持続時間範囲内の持続時間と、規定の振幅範囲内の振幅とを有することによって規定される。良好に機能し、極小面積を有する第１のパルス信号に関して、第１のパルス信号のより高い振幅は、第１のパルス信号がより短い持続時間を有することができるようにし、それでも第１のスイッチング回路を活性化することを可能にし、第１のパルス信号のより低い振幅は、それでも第１のスイッチング回路を活性化することを可能にするために、第１のパルス信号がより長い持続時間を有することを必要とする。良好に機能し、極小面積を有する第１のパルス信号に関して、第１のパルス信号のより長い持続時間は、第１のパルス信号がより低い振幅を有することができるようにし、それでも第１のスイッチング回路を活性化することを可能にし、第１のパルス信号のより短い持続時間は、それでも第１のスイッチング回路を活性化することを可能にするために、第１のパルス信号がより高い振幅を有することを必要とする。概して、パラメータの一方を増加又は減少させるとき、それぞれ、同じ結果を得るために他方のパラメータは減少されることがある、又は増加されなければならない。動作を保証するために、パルス信号の極小面積は、減少されるべきではなく、安定に保たれることができ、又は増加されてもよい。
【００１９】
ドライバの一実施形態は、更に、
−第３の端子及び第４の端子に結合された第２のスイッチング回路を備え、第１及び第４の端子が、第２の発光ダイオード回路の電極に結合されるように配置され、第２のスイッチング回路が、第２のスイッチと、活性化された第１のスイッチに関して、電圧信号に追加された第２のパルス信号に応答して第２のスイッチを活性化するための第２のタイミング回路とを備えることによって規定される。第１のパルス信号によって、第１のスイッチング回路が活性化され、第１の発光ダイオード回路がオンに切り替えられる。第２のパルス信号によって、第２のスイッチング回路が活性化され、第２の発光ダイオード回路がオンに切り替えられるが、これは、第１のスイッチング回路が活性化された後である。
【００２０】
ドライバの一実施形態は、第１のパルス信号及び第２のパルス信号が、第１のスイッチ及び第２のスイッチを順次に活性化するための個別の順次パルス信号であり、又は、第１のスイッチ及び第２のスイッチを順次に活性化するのに十分に長い持続時間を有する複合パルス信号であることによって規定される。更なるスイッチング回路及び更なる発光ダイオード回路も除外されないものとする。
【００２１】
ドライバの一実施形態は、第１及び第２の端子が、第３の発光ダイオード回路の電極に結合されるように配置され、第３の発光ダイオード回路が電圧信号によってオンに切り替えられ、第１の発光ダイオード回路が第１のパルス信号によってオンに切り替えられ、各発光ダイオード回路が電圧信号によってオフに切り替えられることによって規定される。電圧信号を遮断する、又は電圧信号の振幅を十分に減少させることによって、全てのスイッチング回路が同時に非活性化されることが可能であり、全ての発光ダイオード回路が同時にオフに切り替えられることが可能である。
【００２２】
ドライバの一実施形態は、ドライバが、クロック信号を不要にし、給電及び制御のための個別の配線を不要にし、及び／又は発光ダイオード回路各々が２つの電極だけを有し、第３の制御電極を有さない当該発光ダイオード回路をドライブし、各発光ダイオード回路が、任意の種類及び任意の接続の１つ又は複数の発光ダイオードを備え、各発光ダイオードが、２つの電極だけを有し、第３の制御電極を有さないことによって規定される。
【００２３】
第２の態様によれば、上記のドライバを備え、更に、第１の発光ダイオード回路、及び／又は電源、及び／又はパルス信号を電圧信号に追加するためのパルス発生器を備えるデバイスが提供される。
【００２４】
同じワイヤを介して異なる信号によって給電及び制御が実現されることがあると認識し得る。第１の発光ダイオード回路と第１のスイッチング回路との直列接続を備える第１の区域が、電圧信号によって給電されることがあり、且つ電圧信号に追加された第１のパルス信号によって制御されることがあることが、基本的な着想となり得る。
【００２５】
改良されたドライバを提供するという課題が解決されている。ドライバが、給電及び制御のための個別の配線を必要とせず、ドライバ自体の中でクロック信号を必要とせず、更に発光ダイオード（回路）が第３の制御電極を有することを必要としないことが、更なる利点となり得る。発光ダイオード回路とスイッチング回路との直列接続をそれぞれ備える第１及び第２の（並列）区域は、容易に、順次にオンに切り替えられる、及び／又は活性化されることが可能である。
【００２６】
本発明のこれら及び他の態様は、本明細書で以下に述べられる実施形態を参照して明らかになり、解明されよう。
【図面の簡単な説明】
【００２７】
【図１】従来技術を示す図である。
【図２】デバイスに関する第１の改良形態を示す図である。
【図３】デバイスに関する第２の改良形態を示す図である。
【図４】改良されたスイッチング回路を示す図である。
【図５】デバイスの第１の実施形態を示す図である。
【図６】デバイスの第２の実施形態を示す図である。
【図７】デバイスの第３の実施形態を示す図である。
【発明を実施するための形態】
【００２８】
図１に、従来技術のデバイスが示されており、このデバイスは、電源５と、電源５の一方の側に接続され、且つスイッチを介して電源５の他方の側に接続された第１の発光ダイオード回路１０と、電源５の上記一方の側に接続され、且つ更なるスイッチを介して上記スイッチに接続された第２の発光ダイオード回路２０と、電源５に並列に接続された第３の発光ダイオード回路３０とを備える。例えば直流電圧信号（即ちＤＣ電圧信号）を提供する電源５をオンに切り替えることによって、第３の発光ダイオード回路３０がオンに切り替えられ、その後、スイッチを導通モードにすることによって、第１の発光ダイオード回路１０がオンに切り替えられ、その後、更なるスイッチを導通モードにすることによって、第２の発光ダイオード回路２０がオンに切り替えられる。スイッチが制御されなければならず、従って、この従来技術のデバイスは、個別の電力配線と制御配線とを有する。
【００２９】
図２に、デバイス１００に関する第１の改良形態が示されている。デバイス１００は、構成要素１、２、３、４、１１、１２、２１、２２を有するドライバと、電源５と、パルス発生器６と、発光ダイオード回路１０、２０、３０とを備える。代替として、電源５、パルス発生器６、又は電源５とパルス発生器６との組合せが、デバイス１００の外部に位置されることがある。代替として、電源５とパルス発生器６が単一のユニットに組み合わされることがある。代替として、発光ダイオード回路１０、２０、３０が、デバイス１００の外部に位置されることがある。
【００３０】
ドライバは、電源５から電圧信号を受信するための第１の端子１と第２の端子２とを備え、更に、第２の端子２及び第３の端子３に接続された第１のスイッチング回路１１、１２を備える。第１の端子１及び第３の端子３は、第１の発光ダイオード回路１０の電極に接続されるように配置される。第１のスイッチング回路１１、１２は、第１のスイッチ１１と、第１のパルス信号に応答して第１のスイッチ１１を活性化するための第１のタイミング回路１２とを備え、第１のパルス信号は、パルス発生器６から発出し、電圧信号に追加される。上記の電圧信号は、例えば直流電圧信号（即ちＤＣ電圧信号）である。好ましくは、第１のスイッチ１１は、活性化されると導通モードになり、第１のパルス信号に関係なく導通モードのままであるタイプのものである。そのような第１のスイッチ１１の例は、サイリスタ、トライアック、又はサイリスタ若しくはトライアックの代わりとなるトランジスタ回路である。そのようなトランジスタ回路は、当業者の共通の一般知識である。
【００３１】
ここではサイリスタの形態である第１のスイッチ１１は、第２の端子２及び第３の端子３に接続された主電極を有し、第１のタイミング回路１２は、コンデンサ１３を備える。コンデンサ１３の一方の側が、第２の端子２に接続され、コンデンサ１３の他方の側が、第１のスイッチ１１の制御電極に接続される。コンデンサ１３の上記他方の側は、第１のしきい値回路１６、１７を介して第１の端子１に接続される。第１のしきい値回路１６、１７は、例えば、第１のツェナーダイオード１６を備えるか、又は第１のツェナーダイオード１６と抵抗１７との直列接続を備える。ここで、第１のしきい値回路１６、１７は、電源５からの電圧信号によってコンデンサ１３が充電されないようにする。第１のツェナーダイオード１６のしきい値電圧は、電圧信号の振幅に比較的等しくなるように選択されることがある。抵抗１７は、コンデンサ１３を充電するための時定数を規定するために、コンデンサ１３と組み合わせて使用されることがある。
【００３２】
第１のタイミング回路１２は、更に、コンデンサ１３に並列に接続された第２のしきい値回路１４、１５を備えることがある。第２のしきい値回路１４、１５は、第１のスイッチ１１をピーク電圧から保護し、例えば、第２のツェナーダイオード１４を備えるか、又は第２のツェナーダイオード１４と抵抗１５との並列接続を備えることがある。抵抗１５は、必要なときに時定数を（より良く）規定するため及び／又はコンデンサ１３を（より良く）放電するために、コンデンサ１３と組み合わせて使用される。
【００３３】
ドライバは、更に、第３の端子３及び第４の端子４に接続された第２のスイッチング回路２１、２２を備えることがある。第１の端子１及び第４の端子４は、第２の発光ダイオード回路２０の電極に接続されるように配置される。第２のスイッチング回路２１、２２は、第２のスイッチ２１と、活性化された第１のスイッチ１１に関して、第２のパルス信号に応答して第２のスイッチ２１を活性化するための第２のタイミング回路２２とを備え、第２のパルス信号は、パルス発生器６から来て、電圧信号に追加される。第２のスイッチング回路２１、２２は、第１のスイッチング回路１１、１２と比較的同様に設計されることがある。第１のパルス信号及び第２のパルス信号は、第１のスイッチ１１及び第２のスイッチ２１を順次に活性化するための個別の順次パルス信号でよく、又は、第１のスイッチ１１及び第２のスイッチ２１を順次に活性化するのに十分に長い持続時間を有する複合パルス信号でもよい。その結果、第１の発光ダイオード回路１０及び第２の発光ダイオード回路２０が順次にオンに切り替えられることが可能である。
【００３４】
第１の端子１及び第２の端子２は、第３の発光ダイオード回路３０の電極に接続されるように配置されることがある。第３の発光ダイオード回路３０は、電圧信号によってオンに切り替えられ、第１（第２）の発光ダイオード回路１０（２０）は、第１（第２）のパルス信号によってオンに切り替えられる。各発光ダイオード回路１０、２０、３０は、電圧信号によってオフに切り替えられる。
【００３５】
図３に、デバイス１００に関する第２の改良形態が示されている。この第２の改良形態は、コンデンサ１３の上記他方の側と第３の端子３とに接続された抵抗１８によって第１のしきい値回路１６、１７が置き換えられていることを除いて、第１の改良形態と同一である。ここで、第１の発光ダイオード回路１０は、電圧信号によってコンデンサ１３が充電されないようにする。第１の発光ダイオード回路１０の動作電圧は、電圧信号の振幅に比較的等しくなるように選択されることがある。抵抗１８は、時定数を（より良く）規定するために使用されることがある。
【００３６】
第１のパルス信号は、第１のパルス信号の所与の振幅に関する規定の持続時間範囲内の持続時間を有することがあり、及び／又は第１のパルス信号は、第１のパルス信号の所与の持続時間に関する規定の振幅範囲内の振幅を有することがあり、及び／又は第１のパルス信号は、規定の持続時間範囲内の持続時間と、規定の振幅範囲内の振幅とを有することがある。図２及び図３に示されるどちらの改良形態も、クロック信号をドライバ内で不要にし、給電及び制御のための個別の配線をドライバ内で不要にし、及び／又は発光ダイオード回路１０、２０、３０がそれぞれ２つの電極だけを有するようにして、上記回路が、ドライバによってドライブされるべき第３の制御電極を不要にすることができるようにする。各発光ダイオード回路１０、２０、３０は、任意の種類及び任意の接続の１つ又は複数の発光ダイオードを備えることがあり、各発光ダイオードは、２つの電極だけを有することがあり、米国特許第６，４５２，３４２号に示されるように第３の制御電極を有する必要はない。
【００３７】
図４に、改良された第１のスイッチング回路１１、１２が示されている。活性化されるときに第１のスイッチ１１の両端間の電圧を減少させるためのトランジスタ４１が追加されている。第１のスイッチ１１の主電極は、トランジスタ４１の主電極に接続され、トランジスタ４１の制御電極は、第１のスイッチング回路１１、１２を通って流れる電流を検出するための検出回路４０に接続される。これは、電流決定部４２によって行われることがある。同様の構成が、第２のスイッチ２１などに関しても導入されることがある。
【００３８】
図５に、デバイス１００の第１の実施形態が、図２及び図３に示される改良形態に従って示されている。
【００３９】
図６に、デバイス１００の第２の実施形態が示されており、ここでは、発光ダイオード回路１０、２０、３０は、デバイス１００の外部に位置される。更に、電源５が、デバイス１００の外部に位置されてもよい。
【００４０】
図７に、デバイス１００の第３の実施形態が示されており、ここでは、電源５及びパルス発生器６が、デバイス１００外部に位置される。更に、パルス発生器６は、デバイス１００の内部に位置されてもよい。
【００４１】
電圧信号は、ＤＣ電圧信号であり、発光ダイオード回路１０、２０、３０は、そのようなＤＣ電圧信号によって給電されるように配置される。このために、各発光ダイオード回路は、例えば、発光ダイオード列と、次の発光ダイオード回路を切り替えるスイッチにわたる電圧降下を補償するための抵抗との直列接続を備える。従って、図２及び図３で、それぞれの発光ダイオード回路３０、１０、及び２０での抵抗は、それぞれの例示的な値２０、１０、及び０Ωを得ることがある。コンデンサ１３は、１５０ｎＦの例示的な値を有することがあり、ツェナーダイオード１６は、約３０ボルトの例示的なしきい値を有することがあり、抵抗１５は、１ｋΩの例示的な値を有することがあり、抵抗１７及び１８は、５ｋΩの例示的な値を有することがあり、ツェナーダイオード１４は、約３ボルトの例示的なしきい値を有することがあるが、他の値も除外されない。発光ダイオード列の代わりに、発光ダイオードの他の組合せが導入されることもある。電源５は、例えば、交流電源電圧信号（即ちＡＣ電源電圧信号）をＤＣ電圧信号に変換するための変換器であり、例えばスイッチモード電源又は電池などである。
【００４２】
電圧信号は、代替として、交流電圧信号（即ちＡＣ電圧信号）でよく、その場合、スイッチング回路１１、１２、２１、２２は、そのようなＡＣ電圧信号を取り扱うことができるように選択される必要があり、また、その場合、発光ダイオード回路１０、２０、３０は、そのようなＡＣ電圧信号によって給電されるように構成される必要がある。この目的で、各発光ダイオード回路は、整流器を設けられることがあり、又は、例えばいわゆるＡＣ  ＬＥＤ、若しくは発光ダイオードの反平行の組合せを設けられることがある。この場合、対応する発光ダイオード回路がオンである必要がある限り（ＡＣ電圧信号のゼロ交差中にスイッチ１１、２１を活性化されたままにするために更なる手段が取られない限り）、各パルス信号が、一度発生された後、ＡＣ電圧信号の各ゼロ交差の直後に反復されなければならないことが欠点となり得る。例えば、一方としての発光ダイオード回路１０、２０と、他方としての発光ダイオード回路３０とが、より別々にオフに切り替えられることが可能であることが利点となり得る（注：ＡＣ電圧信号の各ゼロ交差後、スイッチの後方の各発光ダイオード回路１０、２０は、自動的にオフに切り替えられることが可能であり、電源に最も近い発光ダイオード回路３０は、オンに保たれる）。
【００４３】
要約すると、ドライバ内でクロック信号、給電及び制御のための個別の配線を不要にするため、並びに制御電極を有する３端子発光ダイオードを不要にするために、発光ダイオード回路１０、２０、３０をドライブするためのドライバが、電源５から電圧信号を受信するための第１の端子１及び第２の端子２と、第２の端子２及び第３の端子３に結合された第１のスイッチング回路１１、１２とを設けられる。第１の端子１及び第３の端子３は、第１の発光ダイオード回路１０の電極に結合される。第１のスイッチング回路１１、１２は、第１のスイッチ１１と、電圧信号に追加された第１のパルス信号に応答して第１のスイッチ１１を活性化して、第１の発光ダイオード回路１０をオンに切り替えるための第１のタイミング回路１２とを備える。発光ダイオード回路１０、２０を順次にオンに切り替えるために、順次パルス信号が使用され得る。
【００４４】
本発明を、図面及び上記の説明で詳細に図示及び説明してきたが、そのような図示及び説明は、例示図又は例示的説明とみなし、限定とみなすべきではない。本発明は、開示される実施形態に限定されない。開示される実施形態に対する他の変形は、図面、開示、及び添付の特許請求の範囲を検討すれば当業者には理解され、特許請求される本発明を実施する際にそのような変形を施すことができる。特許請求の範囲において、語「備える」は、他の要素又はステップを除外せず、また、「１つの」は、複数を除外しない。幾つかの手段が互いに異なる独立請求項に記載されているとしても、それだけでは、それらの手段の組合せを有利に使用することができないことを意味しない。特許請求の範囲内の任意の参照符号は、範囲を制限するものと解釈すべきではない。
【図２】
0006029034.tif 000002
【図３】
0006029034.tif 000003
【図４】
0006029034.tif 000004
【図５】
0006029034.tif 000005
【図６】
0006029034.tif 000006
【図７】
0006029034.tif 000007
【図１】
0006029034.tif 000008